(57)【特許請求の範囲】
【請求項１】
楽器の音程合わせに使用されるチューニング装置であって、
チューニングされる楽器を接続して楽器から発する音を電気的に取得し、または、チューニングされる楽器と接続せずに楽器から発する音をマイクで取得して、前記音の音程を測定し、前記音の規定音程を表示する表示画面を備えたチューナー本体と、前記チューナー本体の両端部に対向して接続され、表面に無数の発光体を等間隔に備えた細長の二本の音程表示部とからなり、前記音の規定音程を表示画面で表示すると共に、前記音が規定音程より低い場合は一方の前記音程表示部の発光体が点灯し、前記音が規定音程より高い場合は他方の前記音程表示部の発光体が点灯し、前記発光体の点灯する位置又は前記発光体が点灯する数により、前記音が規定音程から離れている度合いを示し、または、前記音と前記表示画面に表示された規定音程が合致した場合に両方の音程表示部が同時に点灯することを特徴とするチューニング装置。
【請求項２】
前記チューナー本体を、箱形で、対向する一組の各面に前記音程表示部を接続するジャックを形成したチューナー本体とし、前記音程表示部を、音程表示部同士を連結して環状を形成する１以上の取付部材を備え、前記音程表示部の一端に前記チューナー本体のジャックに接続するプラグを形成した音程表示部とし、前記チューナー本体と音程表示部を着脱可能としたことを特徴とする請求項１に記載のチューニング装置。
【請求項３】
前記音程表示部を、変形可能な軟質な素材からなる音程表示部、又は変形不可能な硬質な素材からなる音程表示部のいずれかとしたことを特徴とする請求項１に記載のチューニング装置。
【請求項４】
前記発光体を、ＬＥＤ、有機ＥＬ、ＴＦＴ、ＳＴＮ、ＤＳＴＮ及びＴＦＤの内いずれかとしたことを特徴とする請求項１乃至請求項３のいずれか１項に記載のチューニング装置。
【請求項５】
前記音程表示部を、液晶画面とした音程表示部としたことを特徴とする請求項１乃至請求項４のいずれか１項に記載のチューニング装置。
【発明の詳細な説明】
【技術分野】
【０００１】
本発明は、楽器等の音程を測定し、チューニングするための機器に関する。
【背景技術】
【０００２】
従来、楽器のチューニングを行う際には、持ち運びが容易な小型のチューナーや持ち運びには適さないが表示部の大きい大型のチューナーを使用していた。
【０００３】
しかしながら、従来のような小型のチューナーでは、表示部（インジケーター部）が５ｃｍ程度と小さいため、ステージ等での演奏の合間に素早くチューニングをしなければならない場合には非常に見えにくく使い勝手の悪いものであった。
【０００４】
また、上記のような問題を解決する方法として、表示部（インジケーター部）の大きいチューナーを使用することも考えられるが、チューナー自体が約１９インチ（およそ５０ｃｍ程度）と非常に大きく、持ち運びに適さないだけではなく、ステージや練習場に設置するのが困難であった。
【０００５】
更に、ステージの広さは限られているため、人数が多いバンドにおいては、チューナーの設置スペースを確保することが更に困難であった。
【０００６】
加えて、演奏者にとっては、機器を使用してチューニングをしている姿はあまり見せたくないと考える傾向にあり、上記のような大型のものは敬遠し、見えにくいが小型で持ち運びが容易なチューナーを我慢して使用していた。
【先行技術文献】
【特許文献】
【０００７】
【特許文献１】特開２００５−１７９９５号公報
【発明の概要】
【発明が解決しようとする課題】
【０００８】
そこで、本発明は、持ち運びが容易で、表示部が見えやすく、限られたスペースでも使用することができるチューニング装置を提供する。
【課題を解決するための手段】
【０００９】
本発明は、上記の課題を解決するために、楽器の音程合わせに使用されるチューニング装置であって、チューニングされる楽器を接続して楽器から発する音を電気的に取得し、または、チューニングされる楽器と接続せずに楽器から発する音をマイクで取得して、前記音の音程を測定し、前記音の規定音程を表示する表示画面２ｂを備えたチューナー本体２と、前記チューナー本体２の両端部に対向して接続され、表面に無数の発光体３ａを等間隔に備えた細長の二本の音程表示部３とからなり、前記音の規定音程を表示画面２ｂで表示すると共に、前記音が規定音程より低い場合は一方の前記音程表示部３の発光体３ａが点灯し、前記音が規定音程より高い場合は他方の前記音程表示部３の発光体３ａが点灯し、前記発光体３ａの点灯する位置又は前記発光体３ａが点灯する数により、前記音が規定音程から離れている度合いを示し、または、前記音と前記表示画面２ｂに表示された規定音程が合致した場合に両方の音程表示部３、３が同時に点灯することを特徴とするチューニング装置の構成とした。
【００１０】
また、前記チューナー本体２を、箱形で、対向する一組の各面に前記音程表示部３を接続するジャックを形成したチューナー本体とし、前記音程表示部３を、音程表示部同士を連結して環状を形成する１以上の取付部材を備え、前記音程表示部の一端に前記チューナー本体２のジャックに接続するプラグを形成した音程表示部とし、前記チューナー本体２と音程表示部３を着脱可能としたことを特徴とするチューニング装置の構成とした。
【００１１】
更に、前記音程表示部３を、変形可能な軟質な素材からなる音程表示部３、又は変形不可能な硬質な素材からなる音程表示部３のいずれかとしたことを特徴とするチューニング装置の構成とした。
【００１２】
加えて、前記発光体３ａを、ＬＥＤ、有機ＥＬ、ＴＦＴ、ＳＴＮ、ＤＳＴＮ及びＴＦＤの内いずれかとしたことを特徴とするチューニング装置の構成とした。
【発明の効果】
【００１３】
本発明は上記のような構成であるため、使用しないときには、小さくまとめることができるため、収納及び持ち運びが容易である。
【００１４】
また、使用時には表示部が大きく見えやすいため、曲の合間に素早くチューニングを行うことができる。
【００１５】
更に、譜面台にぶら下げたり、アンプの前面やエフェクターボードの箱の隙間に設置したり、床に設置して使用することができるため、設置場所を選ばず、人数の多いバンドであっても対応することができる。
【図面の簡単な説明】
【００１６】
【図１】本発明であるチューニング装置の全体図である。
【図２】本発明であるチューニング装置の全体図である。
【図３】本発明であるチューニング装置の第２実施例の分解図である。
【図４】本発明であるチューニング装置のチューナー本体の拡大図である。
【図５】本発明であるチューニング装置のチューナー本体の拡大図である。
【発明を実施するための形態】
【００１７】
以下、添付の図面を参照し、本発明の実施の形態について詳細に説明する。
【実施例１】
【００１８】
図１及び図２は本発明であるチューニング装置の全体図、図３は本発明であるチューニング装置の第２実施例の分解図、図４及び図５は本発明であるチューニング装置のチューナー本体の拡大図である。
【００１９】
図１及び図２に示すように、本発明であるチューニング装置１は、楽器の音程合わせに使用されるチューニング装置であって、チューニングされる楽器を接続して楽器から発する音を電気的に取得し、または、チューニングされる楽器と接続せずに楽器から発する音をマイクで取得して、前記音の音程を測定し、前記音の規定音程を表示する表示画面２ｂを備えたチューナー本体２と、前記チューナー本体２の両端部に対向して接続され、表面に無数の発光体３ａを等間隔に備えた細長の二本の音程表示部３とからなり、前記音の規定音程を表示画面２ｂで表示すると共に、前記音が規定音程より低い場合は一方の前記音程表示部３の発光体３ａが点灯し、前記音が規定音程より高い場合は他方の前記音程表示部３の発光体３ａが点灯し、前記発光体３ａの点灯する位置又は前記発光体３ａが点灯する数により、前記音が規定音程から離れている度合いを示し、または、前記音と前記表示画面２ｂに表示された規定音程が合致した場合に両方の音程表示部３、３が同時に点灯することを特徴とする。
【００２０】
前記チューナー本体２には様々な形のものがあり、例えば図４及び図５に示すようなものがある。
【００２１】
図４に示すチューナー本体２は、箱形をしており、上面には、主電源２ａ、表示画面２ｂ、マイク２ｃ、サウンドボタン２ｄ、ＮＯＴＥボタン２ｅ、ＰＩＴＣＨボタン２ｆ、ＭＯＤＥボタン２ｇ等を備えている。
【００２２】
前記主電源２ａはチューナー本体２の電源であり、オン／オフをするものであり、前記表示画面２ｂは、チューナ本体２が取得した音の規定音程を表示する画面である。
【００２３】
前記マイク２ｃは、チューナー本体２とチューニングする楽器が有線で接続することができない場合に楽器から発する音を取得するためのマイクである。
【００２４】
前記サウンドボタン２ｄ、ＮＯＴＥボタン２ｅ、ＰＩＴＣＨボタン２ｆ、及びＭＯＤＥボタン２ｇは必須のものではない。また、これらのボタン意外にも様々な機能ボタンを配置することがある。
【００２５】
前記チューナー本体２の側面には、複数のジャック２ｉを備えており、チューナー本体２とチューニングをする楽器を有線で接続する場合や、楽器とチューナー本体２を直接接続できない場合に使用するコンタクトマイクやクリップマイクを接続することができる。
【００２６】
また、前記チューナー本体２と音程表示部３が一体ではなく、着脱可能な場合に音程表示部３に設けたプラグを差し込む為のジャック２ｈを設けても良い。
【００２７】
更に、前記チューナー本体２の他の側面部にはＡＣアダプターを接続するためのジャックや、パラレルＤＣコード等を接続するジャック、エフェクターやアンプを接続するジャックを設けてもよい。
【００２８】
図５に示すチューナー本体６は、チューナーのオン／オフをペダルで切り替えるタイプのチューナーであり、箱形の上面の一部にＯＮ／ＯＦＦペダル６ｂが取り付けられており、前記ＯＮ／ＯＦＦペダル６ｂ以外の上面に表示画面６ａが設置されている。
【００２９】
前記表示画面６ａは、チューナー本体２の表示画面２ｂと同じである。即ち、チューナ本体６が取得した音の規定音程を表示する画面である。
【００３０】
前記チューナー本体６においても、サウンドボタンを始めとする様々な機能ボタンを配置することがあり、側面には楽器、コンタクトマイク、クリップマイク、音程表示部、ＡＣアダプター、パラレルＤＣコード、エフェクター、アンプ等を接続するためのジャックを備えても良い。
【００３１】
図２に示すように、前記チューニング装置１の前記音程表示部３を、変形可能な軟質な素材からなる音程表示部３としても良い。前記チューナー本体２と各音程表示部３が一体である場合は、図２（Ａ）に示すように、収納時に各音程表示部３を小さくまとめることができ、前記チューナー本体２と各音程表示部３が着脱可能な場合は、図２（Ｂ）に示すように、チューナー本体２と各音程表示部３を外し、前記音程表示部３を小さく折りたたんだり、環状に小さくまとめることができる。
【００３２】
また、図１及び図２に示すように、前記各音程表示部３の両端付近には取付部材４、４が設けられており、この取付部材４同士を連結することにより音程表示部３同士を連結して環状にして譜面台に吊り下げて使用することや、収納時に音程表示部３を小さくまとめた状態で維持することができる。
【００３３】
尚、前記取付部材４には、面ファスナーや粘着性のあるシート等を予定しているが、これ以外にも繰り返して着脱することができるものがあれば、それを使用してもよい。
【実施例２】
【００３４】
図３は本発明であるチューニング装置の第２実施例の分解図である。
【００３５】
図３に示すように、本発明であるチューニング装置１ａは、実施例１で示したチューニング装置１とほぼ同じ構成をしている。即ち、楽器の音程合わせに使用されるチューニング装置であって、チューニングされる楽器を接続して楽器から発する音を電気的に取得し、または、チューニングされる楽器と接続せずに楽器から発する音をマイクで取得して、前記音の音程を測定し、前記音の規定音程を表示する表示画面２ｂを備えたチューナー本体２と、前記チューナー本体２の両端部に対向して接続され、表面に無数の発光体を等間隔に備えた細長の二本の音程表示部５とからなり、前記音の規定音程を表示画面２ｂで表示すると共に、前記音が規定音程より低い場合は一方の前記音程表示部５の発光体が点灯し、前記音が規定音程より高い場合は他方の前記音程表示部５の発光体が点灯し、前記発光体の点灯する位置又は前記発光体が点灯する数により、前記音が規定音程から離れている度合いを示し、または、前記音と前記表示画面２ｂに表示された規定音程が合致した場合に両方の音程表示部５、５が同時に点灯することを特徴とする。
【００３６】
前記チューニング装置１との違いは、前記音程表示部５が変形不可能な硬質な素材からなるという点である。
【００３７】
図３においては、音程表示部５の一端にプラグ５ａを備えて、チューナー本体２と音程表示部５を着脱可能としたが、特に限定したものではなく、前記音程表示部５とチューナー本体２を一体としてもよい。但し、チューニング装置１、１ａは一方の音程表示部３（５）の端部から他方の音程表示部３（５）までの距離をおよそ１９インチ（５０ｃｍ程度）を予定しているため、硬質な音程表示部５の場合はチューナー本体２と一体とするよりも着脱可能とした方が持ち運びが容易となることは明らかである。
【００３８】
また、図３で図示はしなかったが、前記音程表示部５にも取付部材４を設けてもよく、その場合は、チューニング装置１ａよりも大きな他の機材の壁面に取り付けたりすることで邪魔にならずに設置することができる。
【００３９】
前記音程表示部３（５）の発光体には、ＬＥＤ、有機ＥＬ、ＴＦＴ、ＳＴＮ、ＤＳＴＮ及びＴＦＤ等が考えられる。但し、これらの発光体に限定したものではなく、音程表示部を軟性を維持できる発光体や、省電力、長寿命の発光体があれば、それを使用してもよく、また、音程表示部３（５）全体を液晶画面として取得音の音程表示や取得音と規定音のズレの表示等を行わせてもよい。
【産業上の利用可能性】
【００４０】
本発明であるチューニング装置は、使用時には大きく広げて使用することや、譜面台に掛けたり、様々な機器上やそれらの隙間に設置して使用することができるため、場所を取ることがなく、また、離れた場所からでもチューニング内容を確認することができる程に見やすく、更に収納時には小さくまとめることが出来るため持ち運びも容易であるため、楽器を使用する様々な領域に多大な貢献をもたらす。
【符号の説明】
【００４１】
１      チューニング装置
１ａ    チューニング装置
２      チューナー本体
２ａ    主電源
２ｂ    表示画面
２ｃ    マイク
２ｄ    ＳＯＵＮＤボタン
２ｅ    ＮＯＴＥボタン
２ｆ    ＰＩＴＣＨボタン
２ｇ    ＭＯＤＥボタン
２ｈ    ジャック
２ｉ    ジャック
３      音程表示部
３ａ    発光体
３ｂ    プラグ
４      取付部材
５      音程表示部
５ａ    プラグ
６      チューナー本体
６ａ    表示画面
６ｂ    ＯＮ／ＯＦＦペダル
６ｃ    ジャック
６ｄ    ジャック
【図１】
0005652876.tif 000002
【図２】
0005652876.tif 000003
【図３】
0005652876.tif 000004
【図４】
0005652876.tif 000005
【図５】
0005652876.tif 000006